(57)【要約】      （修正有）【課題】貴重な展示品を地震から迅速、安全かつ確実に保護する衝撃吸収受袋の提供。【解決手段】貴重な展示品を水平なシャッタ−２板上に配置した、柔らかい敷物１５上に載置し、地震発生時に地震感知装置８の作動でシャッタ−板開閉機構３の働きで前記シャッタ−板を開成し、貴重な展示品を柔らかい敷物１５で包まれて略垂直で下方の展示品の衝撃吸収受け袋内を、ゆっくりと移動して着地し、貴重な展示品の損傷や破損また、展示品表面に描かれている絵や模様を安全かつ確実に地震から保護する。【選択図】図２
0003117856.tif 000002
【実用新案登録請求の範囲】
【請求項１】
水平にセットされたシャッタ−板の上に展示品を載置し、地震発生と同時に地震感知器からの出力に連動して前記シャッタ−板を開成し、展示品を略垂直下方に移動させ、緩衝性能を有しかつ容積を調節可能である展示品受け袋で受け止める、展示品を地震等から保護する展示部を使用し、
展示品を地震からより安全確実に保護するために、衝撃吸収性能が高く、かつ展示品の下方への摩擦抵抗の大きな素材で作成した、衝撃吸収受け袋を展示品受け袋内に納め、またシャッタ−板上に柔らかい敷物を置き、その上に展示品を載置した状態で、前記の地震発生と同時に一連の作動で、展示品が柔らかい敷物に包みこまれながら、衝撃吸収受け袋内をゆっくりと移動して着地し、より安全で確実に展示品を保護する。
【請求項２】
前記衝撃吸収性能が高く、かつ展示品の下方への摩擦抵抗の大きな素材はスポンジを利用して展示品受け袋内に納め、地震発生と同時に一連の作動で展示品が衝撃吸収受け袋内をゆっくりと移動して着地し、貴重な展示品を地震から保護することを特徴とする請求項１に記載の、より安全で確実に展示品を保護する。
【請求項３】
前記シャッタ−板の上に置く、柔らかい敷物は、展示品が地震発生によりシャッタ−板が開成すると、展示品は柔らかい敷物で包まれて、衝撃吸収受け袋表面とが接触しながら下方に移動するため、展示品表面に描かれている絵や模様が摩擦により薄くなることを防止することを特徴とする請求項１に記載の、より安全で確実に展示品を保護する。
【請求項４】
前記シャッタ−板の上に置く、柔らかい敷物は、地震発生により一連の作動でシャッタ−板が開成し、展示品を包み衝撃吸収受け袋内を下方に移動するときの衝撃を吸収する素材でできていることを特徴とする請求項１に記載の、より安全で確実に展示品を保護する。
【考案の詳細な説明】
【技術分野】
【０００１】  本考案は、地震から歴史的、文化的、芸術的、経済的に高い価値のある、貴重な陶磁器やガラス工芸品のような、破損し易い展示品を、地震から保護に関するものである。
【背景技術】
【０００２】  上述したような破損し易い貴重な展示品を、飾り棚、展示棚、陳列台等に載置しておいた場合、地震が発生すると各棚の展示品が転倒したり落下して、損傷や破損が生じる可能性が高い。【０００３】  そのため、従来は、飾り棚、展示棚、陳列台等の周りに支え用バ−や紐等を設置したりして転倒や落下を防止している。しかし、このような方法の転倒、落下の防止手段では、貴重な展示品を確実に保護できないばかりでなく、概観上見苦しく、芸術的鑑賞を妨げる。【０００４】  これらの問題を解決するために、展示品を展示する際に、鑑賞の目障りに成らないように展示と、地震等での振動による転倒や落下による損傷や破損から免れることを目的として、対振動保護機能付き器物載置台が提案されている（特開平９−５１８２７号・９−２９９２０３号）。【０００５】  他の従来技術として、頂部及び低部に一対の開口部を対向するように設けた所定高さの支持台を備え、該支持台の頂部側の開口部に、その中央部で突き合わせつつ閉成自在にして、かつ開成自在の二枚一対のシャッタ−板を配設し、低部側の開口部下方に、緩衝性能を有しかつ容積を調節可能である展示品等の受袋の上端開口縁を装着、かつ上記シャッタ−板の駆動装置と地震感知装置とを設け、該地震感知装置が地震を感知して駆動装置を作動させることで、シャッタ−板を開成するようにしたことを特徴とする地震等から貴重な展示品を保護する載置台が提案されている（特許第３４５８０８９号）【０００６】  以上の各提案は、貴重な展示品を損傷や破損から守る点と、展示品表面に描かれている貴重な絵や模様を、より安全で確実に保護するには課題が残る。
【考案の開示】
【考案が解決しようとする課題】
【０００７】  地震から貴重な展示品を安全で確実に保護するには、免震台利用方法では、大きな直下形縦震では１００％保護ができない。また、今迄で一番良い装置（特許第３４５８０８９号）とされている、保護方法と、地震発生で展示品の表面に描かれている貴重な絵や模様が、下方への移動時摩擦により薄くなる等の問題がある。
【課題を解決するための手段】
【０００８】  本考案は、展示品を水平なシャッタ−板の上に載置し、地震発生により地震感知装置が作動しシャッタ−板駆動装置が働いてシャッタ−板を開成し、展示品を略垂直に移動させ、緩衝性能を有しかつ容積を調節可能である展示品受袋で受けとめる、展示品を地震から保護する展示部を使用し、
展示品受け袋の内側に、展示品を地震からより安全確実に保護するために、衝撃吸収性能が高く、かつ展示品の下方への摩擦抵抗の大きな素材で作成した袋を展示品受け袋内に納め、前記の地震発生と同時に一連の作動で展示品が袋内をゆっくりと移動して着地し、より安全で確実に展示品を保護する。【０００９】  本考案の実施態様の一つは、受袋内に納める袋が、摩擦抵抗の大きな素材が、スポンジからなることを特徴とする。【００１０】  本考案はまた、シャッタ−板の上に置く、衝撃を吸収する素材で出来ている柔らかい敷物を配置することで、地震発生で一連の作動により、シャッタ−板が開成したとき、展示品は柔らかい敷物に包まれ、衝撃吸収受け袋と柔らかい敷物外側との接触で下方に移動するため、展示品表面に描かれている絵や模様が摩擦抵抗により、薄くなることが防止でき、安全で確実に展示品を保護する。
【考案の効果】
【００１１】  本考案は、以上に説明したように構成されるものであるから、次に述べる効果を有する。
第１に、地震発生と同時に、展示品を柔らかい敷物で包みこまれながら周囲に衝突することなく下方に移動させ、吊持された緩衝性能を有する袋内に収納させるように構成することにより、展示品を損傷や破損、また展示品に描かれた貴重な絵や模様等、貴重な展示品を総合的により安全で確実に保護する効果を有する。
【考案を実施するための最良の形態】
【００１２】  展示品受袋の内側に、衝撃吸収性能が高く、かつ展示品の下方への摩擦抵抗の大きな素材である、スポンジを利用して展示品受け袋に合わせた、円筒状態に作成した袋を展示品受け袋内に納める。
また、シャッタ−板が開成したとき、展示品を包む衝撃を吸収する素材で出来た、柔らかい敷物を利用する。
【実施例】
【００１３】  以下、添付図面に従って一実施例を説明する。図１は、展示台平面図である。図２は、図１のＡ−Ａ断面線から見た正面図である。【００１４】  図１の展示台▲１▼上部のシャッタ−板▲２▼を覆うように、柔らかい敷物▲１５▼を置き、その上に展示品を展示した状態で待機する。地震が発生したとき、地震感知装置▲８▼が作動して、コントロ−ルボックス▲７▼を介して、シャッタ−板開閉機構▲３▼のシャッタ−板開成ロ−タリ−ソレノイド▲６▼を作動させ、シャッタ−板ロックア−ム▲４▼が働き、シャッタ−板▲２▼が瞬時に開き、展示品が柔らかい敷物▲１５▼に包まれて、受け袋▲１０▼内に向けて略垂直に移動して、展示品は衝撃吸収受け袋▲１３▼低部に静かに着地する。一度衝撃吸収受け袋▲１３▼内に収納すると、大きな余震等がいくら連続で発生しても受け袋▲１０▼低部と展示台低部▲１６▼とが、受け袋固定具▲１１▼を介して固定紐▲１２▼で固定されているため、展示品は三次元位置で安全で確実に保護できる。【００１５】  また、本考案では前述の通り地震発生で、展示品が柔らかい敷物に包まれて下方に移動するため、展示品表面に描かれている絵や模様が薄くなるなど、損傷することなく保護できる。
【図面の簡単な説明】
【００１６】
【図１】  本考案の、展示台平面図である。
【図２】  本考案の、図１の展示台Ａ−Ａ断面線から見た正面図である。
【符号の説明】
【００１７】    １  展示台上部
２  シャッタ−板
３  シャッタ−板開閉機構
４  シャッタ−板開閉ア−ム
５  シャッタ−板開成ア−ム
６  シャッタ−板開成ロ−タリ−ソレノイド
７  コントロ−ルボックス
８  地震感知装置
９  電源装置
１０  展示品受け袋
１１  展示品受け袋固定具
１２  展示品受け袋固定紐
１３  衝撃吸収受け袋
１４  展示品の下方向への移動速度減衰調整と容積調整ベルト
１５  柔らかい敷物
１６  展示台下部
【図１】
0003117856.tif 000003
【図２】
0003117856.tif 000004
【手続補正書】
【提出日】平成17年9月29日(2005.9.29)
【手続補正１】
【補正対象書類名】実用新案登録請求の範囲
【補正対象項目名】全文
【補正方法】変更
【補正の内容】
【実用新案登録請求の範囲】
【請求項１】
水平にセットされたシャッタ−板の上に展示品を載置し、地震発生と同時に地震感知器からの出力に連動して前記シャッタ−板を開成し、展示品を略垂直下方に移動させ、緩衝性能を有しかつ容積を調節可能である展示品受け袋で受け止める、展示品を地震等から保護する展示部を使用し、
展示品を地震からより安全確実に保護するために、衝撃吸収性能が高く、かつ展示品の下方への摩擦抵抗の大きな素材で作成した、衝撃吸収受け袋を展示品受け袋内に設け、またシャッタ−板上に柔らかい敷物を置き、その上に展示品を載置した状態で、前記の地震発生と同時に一連の作動で、展示品が柔らかい敷物に包みこまれながら、衝撃吸収受け袋内をゆっくりと移動して着地し、より安全で確実に展示品を保護する衝撃吸収受け袋。
【請求項２】
前記衝撃吸収受け袋は、衝撃吸収性能が高く、かつ展示品の下方への摩擦抵抗の大きな素材は、スポンジを利用して展示品受け袋内に設け、地震発生と同時に一連の作動で展示品が衝撃吸収受け袋内をゆっくりと移動して着地し、貴重な展示品を地震から保護することを特徴とする請求項１に記載の、より安全で確実に展示品を保護する衝撃吸収受け袋。
【請求項３】
前記シャッタ−板の上に置く、柔らかい敷物は、展示品が地震発生によりシャッタ−板が開成すると、展示品は柔らかい敷物で包まれて、衝撃吸収受け袋表面とが接触しながら下方に移動するため、展示品表面に描かれている絵や模様が摩擦により薄くなることを防止することを特徴とする請求項１に記載の、より安全で確実に展示品を保護する衝撃吸収受け袋。
【請求項４】
前記シャッタ−板の上に置く、柔らかい敷物は、地震発生により一連の作動でシャッタ−板が開成し、展示品を包み衝撃吸収受け袋内を下方に移動するときの衝撃を吸収する素材でできていることを特徴とする請求項１に記載の、より安全で確実に展示品を保護する衝撃吸収受け袋。
【手続補正２】
【補正対象書類名】明細書
【補正対象項目名】全文
【補正方法】変更
【補正の内容】
【考案の詳細な説明】
【技術分野】
【０００１】  本考案は、地震から歴史的、文化的、芸術的、経済的に高い価値のある、貴重な陶磁器やガラス工芸品のような、破損し易い展示品を、地震から保護に関するものである。
【背景技術】
【０００２】  上述したような破損し易い貴重な展示品を、飾り棚、展示棚、陳列台等に載置しておいた場合、地震が発生すると各棚の展示品が転倒したり落下して、損傷や破損が生じる可能性が高い。【０００３】  そのため、従来は、飾り棚、展示棚、陳列台等の周りに支え用バ−や紐等を設置したりして転倒や落下を防止している。しかし、このような方法の転倒、落下の防止手段では、貴重な展示品を確実に保護できないばかりでなく、概観上見苦しく、芸術的鑑賞を妨げる。【０００４】  これらの問題を解決するために、展示品を展示する際に、鑑賞の目障りに成らないように展示と、地震等での振動による転倒や落下による損傷や破損から免れることを目的として、対振動保護機能付き器物載置台が提案されている（特開平９−５１８２７号・９−２９９２０３号）。【０００５】  他の従来技術として、頂部及び低部に一対の開口部を対向するように設けた所定高さの支持台を備え、該支持台の頂部側の開口部に、その中央部で突き合わせつつ閉成自在にして、かつ開成自在の二枚一対のシャッタ−板を配設し、低部側の開口部下方に、緩衝性能を有しかつ容積を調節可能である展示品等の受袋の上端開口縁を装着、かつ上記シャッタ−板の駆動装置と地震感知装置とを設け、該地震感知装置が地震を感知して駆動装置を作動させることで、シャッタ−板を開成するようにしたことを特徴とする地震等から貴重な展示品を保護する載置台が提案されている（特許第３４５８０８９号）【０００６】  以上の各提案は、貴重な展示品を損傷や破損から守る点と、展示品表面に描かれている貴重な絵や模様を、より安全で確実に保護するには課題が残る。
【考案の開示】
【考案が解決しようとする課題】
【０００７】  地震から貴重な展示品を安全で確実に保護するには、免震台利用方法では、大きな直下形縦震では１００％保護ができない。また、今迄で一番良い装置（特許第３４５８０８９号）とされている、保護方法も、地震発生で展示品の移動速度と、展示品の表面に描かれている貴重な絵や模様が、下方への移動時摩擦により薄くなる等の問題がある。
【課題を解決するための手段】
【０００８】  本考案は、展示品を水平なシヤッタ−板の上に載置し、地震発生により地震感知装置が作動しシャッタ−板駆動装置が働いてシャッタ−板を開成し、展示品を略垂直に移動させ、緩衝性能を有しかつ容積を調節可能である展示品受袋で受けとめる、展示品を地震から保護する展示部を使用し、
展示品受け袋の内側に、展示品を地震からより安全確実に保護するために、衝撃吸収性能が高く、かつ展示品の下方への摩擦抵抗の大きな素材で作成した袋を展示品受け袋内に設け、前記の地震発生と同時に一連の作動で展示品が袋内をゆっくりと移動させ着地することにより問題点を解決している。【０００９】  本考案の実施態様の一つは、受袋内に設ける袋が、摩擦抵抗の大きな素材が、スポンジからなることを特徴とする。【００１０】  本考案はまた、シャッタ−板の上に置く、衝撃を吸収する素材で出来ている柔らかい敷物を配置することで、地震発生で一連の作動により、シャッタ−板が開成したとき、展示品は柔らかい敷物に包まれ、衝撃吸収受け袋と柔らかい敷物外側との接触で下方にゆっくりと移動するため、展示品表面に描かれている絵や模様が摩擦抵抗により、薄くなることが防止できる、柔らかい敷物からなることを特徴とする。
【考案の効果】
【００１１】  本考案は、以上に説明したように構成されるものであるから、次に述べる効果を有する。
第１に、地震発生と同時に、展示品を柔らかい敷物で包みこまれながら周囲に衝突することなく下方に移動させ、吊持された緩衝性能を有する袋内に収納させるように構成することにより、展示品を損傷や破損、また展示品に描かれた貴重な絵や模様等、貴重な展示品を総合的に、より安全で確実に保護する効果を有する。
【考案を実施するための最良の形態】
【００１２】  展示品受袋の内側に、衝撃吸収性能が高く、かつ展示品の下方への摩擦抵抗の大きな素材である、スポンジを利用して展示品受け袋に合わせた、円筒状態に作成した袋を展示品受け袋内に設け、展示品の移動速度を減速。
また、シャッタ−板が開成したとき、展示品を包む衝撃を吸収する素材で出来た、柔らかい敷物を利用し展示品の表面に描かれている絵や模様の保護。
【実施例】
【００１３】  以下、添付図面に従って一実施例を説明する。図１は、展示台平面図である。図２は、図１のＡ−Ａ断面線から見た正面図である。【００１４】  図１の展示台▲１▼上部のシャッタ−板▲２▼を覆うように、柔らかい敷物▲１５▼を置き、その上に展示品を展示した状態で待機する。地震が発生したとき、地震感知装置▲８▼が作動して、コントロ−ルボックス▲７▼を介して、シャッタ−板開閉機構▲３▼のシャッタ−板開成ロ−タリ−ソレノイド▲６▼を作動させ、シャッタ−板ロックア−ム▲４▼が働き、シャッタ−板▲２▼が瞬時に開き、展示品が柔らかい敷物▲１５▼に包まれて、受け袋▲１０▼内に向けて略垂直に移動して、展示品は衝撃吸収受け袋▲１３▼低部に静かに着地する。一度衝撃吸収受け袋▲１３▼内に収納すると、大きな余震等がいくら連続で発生しても受け袋▲１０▼低部と展示台低部▲１６▼とが、受け袋固定具▲１１▼を介して固定紐▲１２▼で固定されているため、展示品は三次元位置で安全で確実に保護される。【００１５】  また、本考案では前述の通り地震発生で、展示品が柔らかい敷物に包まれて下方に移動するため、展示品表面に描かれている絵や模様が薄くなるなど、損傷することなく保護できる。
【図面の簡単な説明】
【００１６】
【図１】  本考案の、展示台平面図である。
【図２】  本考案の、図１の展示台Ａ−Ａ断面線から見た正面図である。
【符号の説明】
【００１７】  １  展示台上部
２  シャッタ−板
３  シャッタ−板開閉機構
４  シャッタ−板開閉ア−ム
５  シャッタ−板開成ア−ム
６  シャッタ−板開成ロ−タリ−ソレノイド
７  コントロ−ルボックス
８  地震感知装置
９  電源装置
１０  展示品受け袋
１１  展示品受け袋固定具
１２  展示品受け袋固定紐
１３  衝撃吸収受け袋
１４  展示品の下方向への移動速度減衰調整と容積調整ベルト
１５  柔らかい敷物
１６  展示台下部